(57)【要約】【課題】記録媒体を取出すスイッチを電子装置本体から不要にし、電源オフ状態でも機器を起動させずにパネルを開状態にすること。【解決手段】記憶媒体を収容し、収容された前記記憶媒体を前記電子装置本体の前面に設けられた排出口から排出する記憶媒体ドライブを有する電子装置本体と、閉位置において前記記憶媒体が排出される排出口を覆い、開位置において前記記憶媒体が排出される排出口を露出させるように配置される前面パネルと、前記前面パネルを閉位置と開位置との間で移動させる前面パネル駆動手段と、第１の電源のオンオフを検出する電源検出手段と、を備える車載用電子装置において、前記前面パネルが、第1操作部を有しており、前記電源検出手段によって電源オフが検出され且つ前記第１操作部が操作された場合には前記記憶媒体ドライブが前記記憶媒体を排出し、前記電源検出手段によって電源オンが検出され且つ前記第１操作部が操作された場合には前記記憶媒体の排出とは異なる動作を行なうことを特徴とする。【選択図】図５
2012074112.tif 000002
【特許請求の範囲】
【請求項１】
記憶媒体を収容し、収容された前記記憶媒体を前記電子装置本体の前面に設けられた排出口から排出する記憶媒体ドライブを有する電子装置本体と、
閉位置において前記記憶媒体が排出される排出口を覆い、開位置において前記記憶媒体が排出される排出口を露出させるように配置される前面パネルと、
前記前面パネルを閉位置と開位置との間で移動させる前面パネル駆動手段と、
第１の電源のオンオフを検出する電源検出手段と、を備える車載用電子装置において、
前記前面パネルが、第1操作部を有しており、前記電源検出手段によって電源オフが検出され且つ前記第１操作部が操作された場合には前記記憶媒体ドライブが前記記憶媒体を排出し、前記電源検出手段によって電源オンが検出され且つ前記第１操作部が操作された場合には前記記憶媒体の排出とは異なる動作を行なうことを特徴とする車載用電子装置。
【請求項２】
前記電源検出手段によって電源オフが検出され且つ前記第１操作部が操作された場合には、前記前面パネル駆動手段が前記前面パネルを開位置に移動させ、前記記憶媒体ドライブが前記記憶媒体を排出することを特徴とする請求項１に記載の車載用電子装置。
【請求項３】
前記前面パネルが開位置である場合に、前記電源検出手段によって電源オフが検出され且つ前記第１操作部が操作された場合には、前記記憶媒体ドライブが前記記憶媒体を排出し、前記前面パネルが閉位置である場合に、前記電源検出手段によって電源オフが検出され且つ前記第１操作部が操作された場合には、前記前面パネル駆動手段が前記前面パネルを開位置に移動させ、前記記憶媒体ドライブが前記記憶媒体を排出することを特徴とする請求項１又は請求項２に記載の車載用電子装置。
【請求項４】
前記車載用電子装置は、第２の電源から常時電源を供給される第１制御部を備え、前記第１制御部は、前記第１操作部に常時電源を供給し、前記電源検出手段によって電源オフが検出され且つ前記第１操作部が操作された場合に、前記記憶媒体ドライブに電源を一時的に供給することによって、前記記憶媒体を排出させることを特徴とする請求項１〜３の何れか１項に記載の車載用電子装置。
【請求項５】
記憶媒体を収容し、前記収容された記憶媒体を前記電子装置本体の前面に設けられた排出口から排出する記憶媒体ドライブを有する電子装置本体と、
閉位置において前記記憶媒体が排出される排出口を覆い、開位置において前記記憶媒体が排出される排出口を露出させるように配置される前面パネルと、
前記前面パネルを閉位置と開位置との間で移動させる前面パネル駆動手段と、
第１の電源のオンオフを検出する電源検出手段と、を備える車載用電子装置において、
前記電源検出手段によって電源オフが検出され且つ前記第１操作部が操作された場合、前記第１操作部の押圧操作の態様に応じて、前記前面パネル駆動手段が前記前面パネルを開位置に移動させることと、前記前面パネル駆動手段が前記前面パネルを開位置に移動させ前記記憶媒体ドライブが前記記憶媒体を排出させることと、を選択的に動作させることを特徴とする車載用電子装置。
【請求項６】
前記前面パネルは表示部を有しており、
前記電源検出手段によって電源オンが検出され且つ前記第１操作部が操作された場合には、前記表示部が前記記憶媒体を前記記憶媒体ドライブから排出するための指示入力を行うための第２操作部を表示することを特徴とする請求項１〜５の何れか１項に記載の車載用電子装置。
【請求項７】
前記電源検出手段によって電源オンが検出され且つ前記第１操作部が操作された場合、前記前面パネル駆動手段が前記前面パネルを開位置に移動させ次いで前記表示部に前記第２操作部が表示されることを特徴とする請求項６に記載の車載用電子装置。
【請求項８】
前記電源検出手段によって電源オンが検出され且つ前記第１操作部が操作された場合、前記表示部に前記第２操作部が表示され、前記第２操作部の操作に応じて前記前面パネル駆動手段が前記前面パネルを開位置に移動させ、前記記憶媒体ドライブが前記記憶媒体を排出することを特徴とする請求項６又は７に記載の車載用電子装置。
【請求項９】
前記電源検出手段によって電源オンが検出され且つ前記第１操作部が操作された場合、前記第１操作部の押圧操作の態様に応じて、前記前面パネル駆動手段が前記前面パネルを予め設定されている角度まで移動させることを特徴とする請求項１〜８の何れか１項に記載の車載用電子装置。
【発明の詳細な説明】
【技術分野】
【０００１】
本発明は、車載用電子装置、特に、電子装置本体にコンパクトディスク（以下、ＣＤと記載する）等を収容するＣＤドライブ等を備え、電子装置本体の前面には駆動手段によって電子装置本体に開閉可能であり、さらにタッチパネル式ディスプレイユニットを有する前面パネルを備えた車載用電子装置に関する。
【背景技術】
【０００２】
車載用電子装置、特に、車載用のカーナビゲーション装置においては、電子装置本体の前面に開閉式の前面パネルが取付けられている。電子装置本体にはＣＤドライブ等の記録メディアを収容する各種ドライブが設けられており、記録メディア上の音声信号データを読取ることができる。
【０００３】
前面パネルは前面パネル駆動手段によって開閉可能である。前面パネルが閉位置の時には前面パネルの前面に設けられた表示画面に周辺地図や現在地が表示されたり、各種機能の設定を行ったりする設定画面が表示されたりする。
【０００４】
上述した車載用のカーナビゲーション装置において、ＣＤドライブ等の記録メディアを各種ドライブから取出すためには、まず、前面パネルに設けられているパネル開閉ボタン（ハードキー）を操作することにより、前面パネル駆動手段を動作させ、前面パネルを開いて開位置にする。これにより、電子装置本体に設けられたＣＤドライブのイジェクトボタンが露出する。次いで、このイジェクトボタンを操作することにより、ＣＤドライブに収容されているＣＤ等を取出すことが可能となる。
【０００５】
しかしながら、上述した車載用のカーナビゲーション装置では、前面パネルにパネル開閉ボタンを設けるだけではなく、電子装置本体にもイジェクトボタンを設ける必要があったため、これが部品点数の増大につながり、コスト高を招くという問題点があった。
【０００６】
そこで、下記特許文献１（特許第４３８１７１７号）は、記録媒体が挿入されて保持される本体部と、その前面に設置されたタッチパネル式のパネルディスプレイとを備えた車載オーディオ装置を開示している。この車載オーディオ装置では、物理的な動作を含む各種動作を、ディスプレイに表示したアイコンを指定することで実行可能としている。
【０００７】
具体的には、パネルディスプレイが閉状態にあるときに、パネルディスプレイに表示されたアイコンに触れると、パネルディスプレイが回動されて開状態になり、本体部が露出され、さらに、本体部に保持された記録媒体（ＣＤ）等を排出する。この発明によれば、本体部に記録媒体を排出するためのイジェクトボタンを不要にできる。
【先行技術文献】
【特許文献】
【０００８】
【特許文献１】特許第４３８１７１７号公報
【発明の概要】
【発明が解決しようとする課題】
【０００９】
しかしながら、上記特許文献１に開示された車載オーディオ装置の発明では、パネルディスプレイ上に表示されるアイコンを操作して記録媒体を取出すためには、装置そのものの電源がオン状態になっていなければならない。装置の電源がオフの場合には、装置の電源をオンにして起動させる必要がある。近年の車載用のカーナビゲーション装置では、各種の機能が装備されているために、電源オン状態にするための起動に時間がかかる。従って、上述の車載用オーディオ装置のようにパネルディスプレイ上に表示されるアイコンを操作することで記録媒体を取出す方式の車載用電子装置では、特に電源オフ時に記録媒体を本体から取出すのは手間がかかるという問題点があった。
【００１０】
そこで、本発明の目的は、電子装置本体とその前面に開閉式に設置される前面パネルとを備える車載用電子装置において、電子装置本体に収容される記録媒体を取出すためのスイッチ等を電子装置本体から不要にし、電子装置本体の電源がオフの状態であっても、電子装置本体に収容された記録媒体を取出すことができるようにすることである。
【課題を解決するための手段】
【００１１】
本発明の車載用電子装置は、記憶媒体を収容し、収容された前記記憶媒体を前記電子装置本体の前面に設けられた排出口から排出する記憶媒体ドライブを有する電子装置本体と、閉位置において前記記憶媒体が排出される排出口を覆い、開位置において前記記憶媒体が排出される排出口を露出させるように配置される前面パネルと、前記前面パネルを閉位置と開位置との間で移動させる前面パネル駆動手段と、第１の電源のオンオフを検出する電源検出手段と、を備える車載用電子装置において、前記前面パネルが、第1操作部を有しており、前記電源検出手段によって電源オフが検出され且つ前記第１操作部が操作された場合には前記記憶媒体ドライブが前記記憶媒体を排出し、前記電源検出手段によって電源オンが検出され且つ前記第１操作部が操作された場合には前記記憶媒体の排出とは異なる動作を行なうことを特徴とする。
【００１２】
また、本発明の車載用電子装置の一態様において、前記電源検出手段によって電源オフが検出され且つ前記第１操作部が操作された場合には、前記前面パネル駆動手段が前記前面パネルを開位置に移動させ、前記記憶媒体ドライブが前記記憶媒体を排出することを特徴とする。
【００１３】
また、本発明の車載用電子装置の一態様において、前記前面パネルが開位置である場合に、前記電源検出手段によって電源オフが検出され且つ前記第１操作部が操作された場合には、前記記憶媒体ドライブが前記記憶媒体を排出し、前記前面パネルが閉位置である場合に、前記電源検出手段によって電源オフが検出され且つ前記第１操作部が操作された場合には、前記前面パネル駆動手段が前記前面パネルを開位置に移動させ、前記記憶媒体ドライブが前記記憶媒体を排出することを特徴とする。
【００１４】
また、本発明の車載用電子装置の一態様において、前記車載用電子装置は、第２の電源から常時電源を供給される第１制御部を備え、前記第１制御部は、前記第１操作部に常時電源を供給し、前記電源検出手段によって電源オフが検出され且つ前記第１操作部が操作された場合に、前記記憶媒体ドライブに電源を一時的に供給することによって、前記記憶媒体を排出させることを特徴とする。
【００１５】
本発明の車載用電子装置は、記憶媒体を収容し、前記収容された記憶媒体を前記電子装置本体の前面に設けられた排出口から排出する記憶媒体ドライブを有する電子装置本体と、閉位置において前記記憶媒体が排出される排出口を覆い、開位置において前記記憶媒体が排出される排出口を露出させるように配置される前面パネルと、前記前面パネルを閉位置と開位置との間で移動させる前面パネル駆動手段と、第１の電源のオンオフを検出する電源検出手段と、を備える車載用電子装置において、前記電源検出手段によって電源オフが検出され且つ前記第１操作部が操作された場合、前記第１操作部の押圧操作の態様に応じて、前記前面パネル駆動手段が前記前面パネルを開位置に移動させることと、前記前面パネル駆動手段が前記前面パネルを開位置に移動させ前記記憶媒体ドライブが前記記憶媒体を排出させることと、を選択的に動作させることを特徴とする。
【００１６】
また、本発明の車載用電子装置の一態様において、前記前面パネルは表示部を有しており、前記電源検出手段によって電源オンが検出され且つ前記第１操作部が操作された場合には、前記表示部が前記記憶媒体を前記記憶媒体ドライブから排出するための指示入力を行うための第２操作部を表示することを特徴とする。
【００１７】
また、本発明の車載用電子装置の一態様において、前記電源検出手段によって電源オンが検出され且つ前記第１操作部が操作された場合、前記前面パネル駆動手段が前記前面パネルを開位置に移動させ次いで前記表示部に前記第２操作部が表示されることを特徴とする。
【００１８】
また、本発明の車載用電子装置の一態様において、前記電源検出手段によって電源オンが検出され且つ前記第１操作部が操作された場合、前記表示部に前記第２操作部が表示され、前記第２操作部の操作に応じて前記前面パネル駆動手段が前記前面パネルを開位置に移動させ、前記記憶媒体ドライブが前記記憶媒体を排出することを特徴とする。
【００１９】
また、本発明の車載用電子装置の一態様において、前記電源検出手段によって電源オンが検出され且つ前記第１操作部が操作された場合、前記第１操作部の押圧操作の態様に応じて、前記前面パネル駆動手段が前記前面パネルを予め設定されている角度まで移動させることを特徴とする。
【発明の効果】
【００２０】
上記の構成により、本発明は下記に説明するような優れた効果を発揮する。すなわち、本発明の車載用電子装置によれば、前面パネルに設けられた第１操作部が操作され、電源検出手段によって電源のオフが検出された場合、記憶媒体ドライブに収容された記憶媒体が排出される。これにより、電子装置本体の電源がオフの状態であっても、記憶媒体ドライブに収容された記録媒体を取出すことができる。
【００２１】
本発明の車載用電子装置の一態様によれば、前面パネルに設けられた第１操作部が操作され、電源検出手段によって電源のオフが検出された場合、前面パネルを開位置に移動させ、記憶媒体ドライブが記憶媒体を排出するので、電子装置本体の電源がオフの状態であっても、記憶媒体ドライブに収容された記録媒体を取出すことができる。
【００２２】
本発明の車載用電子装置の一態様によれば、前面パネルが開位置であれば、記憶媒体の排出のみを行い、前面パネルが閉位置であれば、前面パネルを開位置に移動させて、記憶媒体を排出することができる。
【００２３】
本発明の車載用電子装置の一態様によれば、第２の電源から常時電源を供給される第１制御部によって、第１操作部が操作された場合にのみ一時的に記憶媒体ドライブに電源を供給することによって、第１の電源がオフの状態であっても装置全体を起動させることなく記憶媒体を排出することができる。
【００２４】
また、本発明によれば、電源オフが検出され且つ第１操作部が操作された場合、第１操作部の押圧操作の態様に応じて、前面パネルを開位置に移動させることと、前面パネルを開位置に移動させ記憶媒体を排出させることと、を選択的に動作させるため、電子装置本体の電源がオフの状態であっても、記憶媒体ドライブに収容された記録媒体を取出すことができ、また、前面パネルを開位置に移動させる動作を行なうことも可能になる。
【００２５】
本発明の車載用電子装置の一態様によれば、電源オンが検出され且つ第１操作部が操作された場合には、表示部が記憶媒体を記憶媒体ドライブから排出するための指示入力を行うための第２操作部を表示するので、操作スイッチ等を増やすことなく、記憶媒体の排出に関わる動作指示を行うことができる。
【００２６】
また、本発明の車載用電子装置の一態様において、電源オンが検出され且つ第１操作部が操作された場合、前面パネルを開位置に移動させ次いで表示部に第２操作部が表示されることが好ましい。
【００２７】
また、本発明の車載用電子装置の一態様において、電源オンが検出され且つ第１操作部が操作された場合、第２操作部の操作に応じて前面パネルを開位置に移動させ、記憶媒体を排出するため、操作スイッチ等を増やすことなく、記憶媒体を排出することができる。
【００２８】
また、本発明の車載用電子装置の一態様において、電源オンが検出され且つ第１操作部が操作された場合、第１操作部の押圧操作の態様に応じて、前面パネルを予め設定されている角度まで移動させることが好ましい。これにより、操作スイッチ等を増やすことなく、前面パネルの角度調整を行うことが可能となる。
【図面の簡単な説明】
【００２９】
【図１】本実施例の車載用カーナビゲーション装置の外観斜視図である。
【図２】車載用カーナビゲーション装置の内部ブロック図を示している。
【図３】車載用カーナビゲーション装置においてＡＣＣ電源がオン時にハードキーが操作された際の動作を示すフローチャートである。
【図４】車載用カーナビゲーション装置においてＡＣＣ電源がオン時にハードキーが操作された際の他の動作を示すフローチャートである。
【図５】車載用カーナビゲーション装置においてＡＣＣ電源がオフ時にハードキーが操作された際の動作を示すフローチャートである。
【図６】車載用カーナビゲーション装置においてＡＣＣ電源がオフ時にハードキーが操作された際の動作の他の一例を示すフローチャートである。
【発明を実施するための形態】
【００３０】
以下、本願発明を実施するための最良の形態を実施例と共に図面を参照して詳細に説明する。ただし、以下に示す実施例は、本発明の技術思想を具体化するための車載用電子装置として車載用カーナビゲーション装置を例示して説明するものであって、本発明をこの車載用カーナビゲーション装置に特定することを意図するものではなく特許請求の範囲に示した技術思想を逸脱することなくその他の車載用電子装置にも等しく適用し得るものである。
【実施例】
【００３１】
まず、図１を参照して本実施例の車載用カーナビゲーション装置について説明する。なお、図１は本実施例の車載用カーナビゲーション装置の外観斜視図である。車載用カーナビゲーション装置１０は、ナビゲーション装置本体１００と、その前面に開閉可能に取付けられる前面パネル１１０を備えて構成される。
【００３２】
前面パネル１１０はナビゲーション装置本体１００にリンク機構１４０によって接続されている。リンク機構１４０は、後述する前面パネル駆動部の駆動によって駆動し、図１（ａ）に示す前面パネル１１０の閉位置と図１（ｂ）に示す前面パネル１１０の開位置の間で前面パネル１１０を移動可能に接続している。
【００３３】
なお、閉位置とは、図１（ａ）に示すように全閉の位置に限らず、ユーザが視認しやすい位置に調節している場合、当該ユーザが視認しやすい位置を閉位置としてもよい。また、開位置も図１（ｂ）に示すように全開の位置に限らず、ＣＤなどの記憶媒体を取り出すために閉位置から移動した位置（ＣＤなどの記憶媒体を抜き差しする出し入れ口（排出口）を覆わない位置）であればよい。
【００３４】
ナビゲーション装置本体１００には、ＣＤドライブ１０４が設けられ、ＣＤを抜き差しする出し入れ口（排出口）がナビゲーション装置本体１００の前面に設けられている。前面パネル１１０が開位置にあるとき、ナビゲーション装置本体１００の前面が露出し、ＣＤドライブ１０４にアクセスすることが可能になる。なお、本発明では、ナビゲーション装置本体１００の前面には、ＣＤドライブ１０４に収容されたＣＤ等の記録媒体を排出するためのイジェクトボタン等は設けられていない。また、ナビゲーション装置本体１００の前面にはＣＤドライブの他、他の記録媒体を収容して読取る手段も設けられているが、ここでは簡略化のため説明を省略する。
【００３５】
前面パネル１１０はディスプレイ１１１、本発明の第１操作部としてのハードキー１１４を備えて構成される。ディスプレイ１１１は液晶ディスプレイユニットであり、その前面は後述するタッチパネルが形成され、ユーザがディスプレイ１１１に表示される各種の情報や案内を参照しつつ適切な箇所を手指で押圧することで、入力を行うことができる。なお、図１では、それぞれの機能に対応した複数のハードキーを図示しているが、本実施例では、その中の１つのハードキーをハードキー１１４として説明を行なう。
【００３６】
次に、図２を参照して本実施例の車載用カーナビゲーション装置１０の内部構成について説明する。なお、図２は車載用カーナビゲーション装置１０の内部ブロック図を示している。車載用カーナビゲーション装置１０はナビゲーション装置本体１００、前面パネル１１０に加えて、電源部１２０、前面パネル駆動部１３０を備えて構成される。
【００３７】
ナビゲーション装置本体１００は、本発明の第１制御部としてのメインマイコン１０１、ＡＣＣ電源検出手段１０２、操作部動作検出手段１０３、ＣＤドライブ１０４、本発明の第２制御部としてのサブマイコン１０５、表示制御部１０６を備えて構成される。なお、説明の簡略化のため、ＡＣＣ電源検出手段１０２、操作部動作検出手段１０３をメインマイコン１０１の外部に図示しているが、メインマイコン１０１に含まれてもよい。すなわち、ＡＣＣ電源検出手段１０２、操作部動作検出手段１０３は、メインマイコン１０１により実現されてもよい。
【００３８】
メインマイコン１０１は、図示しないＣＰＵ、ＲＡＭ、ＲＯＭから構成されるマイクロプロセッサであり、ＲＡＭ又はＲＯＭに記録された動作プログラムをＣＰＵにおいて実行することによりナビゲーション装置本体１００、前面パネル１１０及び前面パネル駆動部１３０の動作を制御、統括する。また、メインマイコン１０１は、電源部１２０からの電源供給を受け、ＣＤドライブ１０４、サブマイコン１０５、前面パネル１１０（ハードキー１１４、タッチパネル１１２、ディスプレイ１１１）、前面パネル駆動手段１３０に電源を供給する。また、メインマイコン１０１は電源部１２０のバッテリ電源１２２及びＡＣＣ電源１２１から常時電源供給を受ける。
【００３９】
ＡＣＣ電源検出手段１０２は、ＡＣＣ（アクセサリー）電源１２１から電源が供給されているか否か（ＡＣＣ電源がオンかオフか）を検出するものである。検出方法には周知の種々の方法を用いることができ、例えば、図示しないセンサの検出結果に基づき、自動車のイグニッションキーがＡＣＣの位置まで回されたか否かで検出してもよい。
【００４０】
操作部動作検出手段１０３は、前面パネル１１０に設けられた本発明の第１操作部としてのハードキー１１４、及びタッチパネル１１２に設けられた本発明の第２操作部としてのソフトキー１１３がユーザにより操作されたか否かを判別する。操作部動作検出手段１０３は、ハードキー１１４が操作された場合にはハードキー１１４の押下げ時間、タッチパネル１１２が操作された場合には接触した座標を含む操作情報を取得してメインマイコン１０１に出力する。なお、以下の説明では、操作部動作検出手段１０３は、タッチパネル１１２が操作された場合に接触した座標及び現在ディスプレイ１１１に表示している表示画面に基づき、操作指示内容（例えば、「ＣＤイジェクト」のソフトキー１１３がタッチされた旨の内容）を検出しメインマイコン１０１に出力するものとして説明を行なう。
【００４１】
なお、操作部動作検出手段１０３は、タッチパネル１１２が操作された場合に接触した座標をメインマイコン１０１０へ出力し、メインマイコン１０１が、タッチパネル１１２が操作された場合に接触した座標及び現在ディスプレイ１１１に表示している表示画面に基づき、操作指示内容を判定してもよい。
【００４２】
ＣＤドライブ１０４はナビゲーション装置本体１００に設けられ、本体前面にはＣＤの出し入れ口が設けられる。なお、本実施例では、ナビゲーション装置本体１００にＣＤドライブを設けた例について説明しているが、本発明はこれに限られず、ＤＶＤドライブ等の他の記録媒体を収容、駆動する装置であってもよい。
【００４３】
サブマイコン１０５は、前面パネル１１０のディスプレイ１１１の画面再生、表示制御を行ったり、本実施例では説明を省略するが、経路探索と経路案内等の実質的なナビゲーション機能を制御したりするためのものであり、ＡＣＣ電源が供給されているときに起動し、動作する。なお、サブマイコン１０５はＣＰＵ、ＲＡＭ、ＲＯＭから構成されるマイクロプロセッサで構成され、ＲＡＭ又はＲＯＭに記録されている制御プログラムをＣＰＵにおいて実行することにより表示制御部１０６の動作を制御、統括する。なお、ディスプレイ１１１への画面再生、表示制御、及びソフトキー１１３の表示は表示制御部１０６によって行われる。なお、説明の簡略化のため、表示制御部１０６をサブマイコン１０５の外部に図示しているが、サブマイコン１０５に含まれてもよい。すなわち、表示制御部１０６は、サブマイコン１０５により実現されてもよい。
【００４４】
前面パネル１１０は、ディスプレイ１１１、ディスプレイ１１１上に形成されたタッチパネル１１２、ディスプレイ１１１外のハウジングに設けられたハードキー１１４を備えて構成される。
【００４５】
ディスプレイ１１１は、ＡＣＣ電源がオンの時にメインマイコン１０１から電力供給を受けて動作する。また、ディスプレイ１１１は表示制御部１０６の制御によって経路案内画像、ソフトキー１１３を表示する。
【００４６】
タッチパネル１１２もディスプレイ１１１と同様にＡＣＣ電源がオンの時にメインマイコン１０１から電力供給を受けて動作する。ユーザがディスプレイ１１１に表示されたアイコンを視認しながらソフトキー１１３を操作（タッチ）すると、ユーザがタッチパネル１１２を押圧した座標情報等に基づき操作部動作検出手段１０３が操作指示内容を検出し、メインマイコン１０１に出力する。
【００４７】
ハードキー１１４は、前面パネル１１０のディスプレイ１１１外のハウジングに設けられた機械的スイッチであり、メインマイコン１０１から常時電源供給を受ける。ハードキー１１４がユーザにより操作されると、操作部動作検出手段１０３がその情報を取得してメインマイコン１０１に出力し、メインマイコン１０１は前面パネル駆動部１３０を駆動させて前面パネル１１０を閉位置から開位置に移動させたり、ＣＤドライブ１０４を動作させてＣＤドライブ１０４に収容されているＣＤを排出したりする。
【００４８】
電源部１２０は、ＡＣＣ電源１２１とバッテリ電源１２２を備えて構成される。電源部１２０は車両に備えられたバッテリなどと接続され、車載用カーナビゲーション装置に電源供給を行なうインターフェース部である。なお、ＡＣＣ電源１２１は自動車のイグニッションキーをＡＣＣの位置まで回した際にはじめて供給される電源である。バッテリ電源１２２は自動車に搭載されるバッテリから常時供給される電源である。
メインマイコン１０１は前面パネル１１０に設けられるハードキー１１４に常時電源を供給する。また、ハードキー１１４が操作されたときだけ前面パネル駆動部１３０、ＣＤドライブ１０４に電源を供給し、前面パネル１１０を開位置から閉位置に移動させたり、ＣＤドライブ１０４を動作させてＣＤドライブ１０４に収容されているＣＤを排出したりする。
【００４９】
電源部１２０から供給される電源がＡＣＣ電源検出手段１０２によりＡＣＣ電源１２１からのものであると判別された場合（ＡＣＣ電源がオンの場合）、メインマイコン１０１は、サブマイコン１０５、及びナビゲーション装置本体１００と前面パネル１１０を構成する各部、すなわち、ディスプレイ１１１、タッチパネル１１２にも電源を供給する。また、前面パネル駆動部１３０やＣＤドライブ１０４にも電源を供給する。
【００５０】
前面パネル駆動部１３０は、メインマイコン１０１からの制御信号に基づいて前面パネル１１０の開閉動作を制御するものであり、主にモータ（図示せず）とリンク機構１４０により構成される。前面パネル駆動部１３０はメインマイコン１０１からの制御信号に基づいてモータを駆動し、リンク機構１４０を動作させることにより前面パネルを、図１（ａ）に示す閉位置と図１（ｂ）に示す開位置との間の任意の角度又は位置に移動させるものである。
【００５１】
次に、図３を参照して、車載用カーナビゲーション装置１０のＡＣＣ電源１２１がオンのときの車載用カーナビゲーション装置１０の動作について説明する。なお、図３は、車載用カーナビゲーション装置１０においてＡＣＣ電源１２１がオン時にハードキー１１４が操作された際の動作を示すフローチャートである。なお、フローチャート開始時には、前面パネル１１０は閉位置にあるものとする。
【００５２】
ステップＳ３０１において、ユーザがハードキー１１４を操作すると、操作部動作検出手段１０３はハードキー１１４が操作されたことを検出し、検出結果をメインマイコン１０１に出力する。ステップＳ３０２において、メインマイコン１０１は検出結果に基づいてハードキー１１４が短押しされたか長押しされたかを判定し、長押しされたと判定された場合にはステップＳ３０３の処理に進む。
【００５３】
ステップＳ３０３において、メインマイコン１０１は前面パネル駆動部１３０に指示を行い、前面パネル１１０を、予め設定されている次の所定角度まで移動させ、処理を終了する。又は、この移動は、ハードキー１１４が押されている間は連続して行い、ハードキー１１４が押されなくなった時点で上記の移動を停止させるようにしてもよい。
【００５４】
ステップＳ３０２において、ハードキー１１４が短押しされたとメインマイコン１０１が判定した場合は、ステップＳ３０４の処理に進む。ステップＳ３０４において、メインマイコン１０１は前面パネル駆動部１３０に指示を与え、前面パネル１１０を図１（ｂ）に示すような開位置に移動させる。
【００５５】
次いで、ステップＳ３０５において、サブマイコン１０５は、表示制御部１０６に指示を行い、ディスプレイ１１１にＣＤのイジェクト用のアイコンを含むソフトキー１１３を表示させる。なお、ここで表示されるソフトキーとしては、ＣＤドライブ１０４からＣＤを排出するためのソフトキー及び前面パネル１１０を閉位置に移動するためのソフトキーが含まれている。また、前面パネル１１０が開位置にある場合は、ナビゲーション装置本体１００の前面を直接視認できるので、ナビゲーション装置本体１００の前面を擬似的に表示して、前面に設けられた各種の機能をソフトキー１１３によって操作できるようにしてもよい。本実施例では、ナビゲーション装置本体１００にはＣＤドライブ１０４のみしか設けた場合を説明していないが、実際には他の機能が設けられているので、それらの機能を動作させるための制御スイッチ（ソフトキー）等を表示してもよい。なお、ＣＤドライブ１０４にＣＤが収容されていない場合には、ＣＤイジェクト用のアイコンは表示されないか、表示されているとしても操作不可能な態様で表示される。
【００５６】
ステップＳ３０６において、操作部動作検出手段１０３は、ソフトキー１１３、つまりタッチパネル１１２のソフトキー１１３に対応する箇所が操作されたか否かを判定する。ソフトキー１１３が操作（タッチ）されたと判定された場合には、タッチパネル１１２を押圧した座標情報等に基づき操作指示内容を検出し、メインマイコン１０１に出力して続くステップＳ３０７の処理に進み、なお、操作されないと判定された場合はステップＳ３０５の処理に戻ってディスプレイ１１１にソフトキー１１３の表示を行い続ける。
【００５７】
ステップＳ３０７において、メインマイコン１０１は操作部動作検出手段１０３からソフトキー１１３の操作指示内容を取得する。
ステップＳ３０８において、メインマイコン１０１は、操作部動作検出手段１０３から取得した操作指示内容がＣＤのイジェクト動作か否かを判定する。ＣＤのイジェクト動作であると判定された場合は、ステップＳ３０９に進み、ＣＤドライブ１０４に指示を行い、ＣＤのイジェクトを行い、処理を終了する。
【００５８】
ステップＳ３０８において、ソフトキー１１３の操作指示内容がＣＤのイジェクト動作ではないと判定された場合、ステップＳ３１０の処理に進み、ソフトキー１１３の操作指示に従った適切な動作を行い、処理を終了する。
【００５９】
なお、上記には、ハードキー１１４が短押しされると、前面パネル１１０をまず開位置まで移動させ、次いでディスプレイ１１１にソフトキー１１３を表示させる例について説明したが、ハードキー１１４が短押しされた際に、ディスプレイ１１１にソフトキー１１３をまず表示させるようにしてもよい。図４を参照して、ハードキー１１４の短押し時にディスプレイ１１１にソフトキー１１３をまず表示させる場合の動作について説明する。図４は、車載用カーナビゲーション装置１０においてＡＣＣ電源１２１がオン時にハードキー１１４が操作された際の他の動作を示すフローチャートである。
【００６０】
図４のフローチャートでは、図３のフローチャートのステップＳ３０４の処理、つまり、ハードキー１１４が短押しされた場合に前面パネル１１０を開位置まで移動させる処理を、ソフトキー１１３が操作された後に行う点で図３のフローチャートと相違している他は、ほぼ同一の処理を行う。
【００６１】
すなわち、ステップＳ４０１において、ユーザがハードキー１１４を操作すると、操作部動作検出手段１０３はハードキー１１４が操作されたことを検出し、検出結果をメインマイコン１０１に出力する。ステップＳ４０２において、メインマイコン１０１は検出結果に基づいてハードキー１１４が短押しされたか長押しされたかを判定し、長押しされたと判定された場合にはステップＳ４０３の処理に進む。
【００６２】
ステップＳ４０３において、メインマイコン１０１は前面パネル駆動部１３０に指示を行い、前面パネル１１０を、予め設定されている次の所定角度まで移動させ、処理を終了する。又は、この移動は、ハードキー１１４が押されている間は連続して行い、ハードキー１１４が押されなくなった時点で上記の移動が停止するようにしてもよい。
ステップＳ４０２において、メインマイコン１０１が、ハードキー１１４が短押しされたと判定した場合、ステップＳ４０４の処理に進む。
【００６３】
ステップＳ４０４において、サブマイコン１０５は、表示制御部１０６に指示を行い、ディスプレイ１１１にＣＤのイジェクト用のアイコンを含むソフトキーを表示させる。ここで表示されるソフトキー１１３は、例えば、ＣＤドライブ１０４からＣＤの排出を指示するためのソフトキー、前面パネル１１０を開位置に移動させる指示のためのソフトキー、及び前面パネル１１０の角度を調整するためのソフトキーが含まれる。
【００６４】
ステップＳ４０５において、操作部動作検出手段１０３は、ソフトキー１１３、つまりタッチパネル１１２のソフトキー１１３に対応する箇所が操作されたか否かを判定する。ソフトキー１１３が操作（タッチ）されたと判定された場合（タッチパネル）にはタッチパネル１１２を押圧した座標情報等に基づき操作指示内容を検出し、メインマイコン１０１に出力して続くステップＳ４０６の処理に進み、操作されないと判定された場合はステップＳ４０４の処理に戻ってディスプレイ１１１にソフトキー１１３の表示を行いつづける。
【００６５】
ステップＳ４０６において、メインマイコン１０１は操作部動作検出手段１０３からソフトキー１１３の操作指示内容を取得する。
【００６６】
ステップＳ４０７において、メインマイコン１０１は、操作部動作検出手段１０３から取得した操作指示内容がＣＤのイジェクト動作か否かを判定する。ＣＤのイジェクト動作であると判定された場合は、ステップＳ４０８に進む。
【００６７】
ステップＳ４０８において、メインマイコン１０１は前面パネル駆動部１３０に指示を与え、前面パネル１１０を図１（ｂ）に示すような開位置に移動させる。次いで、ＣＤドライブ１０４に指示を行い、ＣＤのイジェクトを行い、処理を終了する。
【００６８】
ステップＳ４０７において、ソフトキー１１３の操作指示内容がＣＤのイジェクト動作ではないと判定された場合、ステップＳ４０９の処理に進み、ソフトキー１１３の操作指示に従った適切な動作を行い、処理を終了する。
【００６９】
次に、図５を参照して、車載用カーナビゲーション装置１０のＡＣＣ電源１２１がオフのときの車載用カーナビゲーション装置１０の動作について説明する。なお、図５は、車載用カーナビゲーション装置１０においてＡＣＣ電源１２１がオフ時にハードキー１１４が操作された際の動作を示すフローチャートである。
ＡＣＣ電源１２１がオフ時の際には、車載用カーナビゲーション装置１０では、バッテリ電源１２２が常時メインマイコン１０１に電源を供給しており、メインマイコン１０１は、操作部動作検出手段１０３及びハードキー１１４に電源を供給してその操作を受け付けると同時に、ユーザの操作に応じてＣＤドライブ１０４や前面パネル駆動部１３０にも電源を一時的に供給し、必要な処理を行うことができるようにしている。
【００７０】
ステップＳ５０１において、操作部動作検出手段１０３はユーザがハードキー１１４を操作したことを検出し、検出結果をメインマイコン１０１に出力する。
【００７１】
ステップＳ５０２において、メインマイコン１０１は前面パネル駆動部１３０に指示を与え、前面パネル１１０を図１（ｂ）に示すような開位置に移動させる。
【００７２】
次いで、ステップＳ５０３において、メインマイコン１０１はＣＤドライブ１０４に指示を行い、ＣＤのイジェクトを行い、処理を終了する。
【００７３】
なお、ステップＳ５０２及びステップＳ５０３の間において、ＣＤドライブ１０４にＣＤが収容されているか否かを検出し、ＣＤが収容されている場合のみ、ステップＳ５０３の処理に進むことが望ましい。ＣＤドライブ１０４にＣＤが収容されているか否かは、ＣＤドライブ１０４に電源供給を行い、ＣＤドライブ１０４の状態（ＣＤが収容されているか否か）を検出してもよいし、ＣＤドライブ１０４への電源供給を停止する際（ＡＣＣ電源がオフになった際）のＣＤドライブ１０４の状態を記憶しておき、記憶しておいたＣＤドライブ１０４の状態を読み出すことで検出可能である。
【００７４】
次に、図６を参照して、車載用カーナビゲーション装置１０のＡＣＣ電源１２１がオフのときの車載用カーナビゲーション装置１０の動作の別の例について説明する。なお、図６は、車載用カーナビゲーション装置１０においてＡＣＣ電源１２１がオフ時にハードキー１１４が操作された際の動作の他の一例を示すフローチャートである。
【００７５】
ステップＳ６０１において、操作部動作検出手段１０３はユーザがハードキー１１４を操作したことを検出し、検出結果をメインマイコン１０１に出力する。
【００７６】
ステップＳ６０２において、メインマイコン１０１は検出結果に基づいてハードキー１１４が短押しされたか長押しされたかを判定し、長押しされたと判定された場合にはステップＳ６０３の処理に進む。
【００７７】
ステップＳ６０３において、メインマイコン１０１は前面パネル駆動部１３０に指示を与え、前面パネル１１０を図１（ｂ）に示すような開位置に移動させる。
【００７８】
次いで、ステップＳ６０４において、メインマイコン１０１はＣＤドライブ１０４に指示を行い、ＣＤドライブ１０４にＣＤが収容されている場合にはＣＤのイジェクトを行い、処理を終了する。
【００７９】
ステップＳ６０２において、ハードキー１１４が短押しされたと判定された場合には、ステップＳ６０５の処理に進み、メインマイコン１０１は前面パネル駆動部１３０に指示を与え、前面パネル１１０を図１（ｂ）に示すような開位置に移動させ、処理を終了する。
【００８０】
なお、ステップＳ６０２において、ハードキー１１４が短押しされたと判定された場合には、前面パネル１１０を図１（ｂ）に示すような開位置に移動させ、テップＳ６０２において、ハードキー１１４が長押しされたと判定された場合には、前面パネル１１０の開位置への移動と、ＣＤのイジェクトを行なったが、これに限ることはなく、ステップＳ６０２において、ハードキー１１４が短押しされたと判定された場合には、前面パネル１１０の開位置への移動と、ＣＤのイジェクトを行ない、ハードキー１１４が長押しされたと判定された場合には、前面パネル１１０を図１（ｂ）に示すような開位置に移動させてもよい。
【００８１】
上記に説明した通り、本実施例の車載用カーナビゲーション装置１０は、ＡＣＣ電源がオフ時の際に、装置の電源をオン（ＡＣＣ電源をオン）にして起動させることなくハードキー１１４を操作するだけで前面パネル１１０を開位置に移動させ、ＣＤドライブ１０４からＣＤを排出させることが可能である。
【００８２】
また、ハードキー１１４を短押し又は長押しすることによって、所望の動作、つまり、ＣＤの排出か前面パネル１１０の傾斜角度の調整かを選択的に行わせることができるようになる。
【００８３】
なお、本発明は上記実施例に限定されない。下記に他の実施形態を記載する。
【００８４】
まず、ＡＣＣ電源１２１がオフのときにハードキー１１４が操作されると、操作部動作検出手段１０３はユーザがハードキー１１４を操作したことを検出し、検出結果をメインマイコン１０１に出力する。
【００８５】
次に、メインマイコン１０１は、前面パネル１１０の位置を検出し、前面パネル１１０の位置が開位置であり、ＣＤドライブ１０４にＣＤが収容されている場合には、メインマイコン１０１はＣＤドライブ１０４に指示を行い、ＣＤのイジェクトを行い、処理を終了する。
【００８６】
なお、前面パネル１１０の位置が開位置であるか否かは、図示しないセンサによって検出してもよいし、最後に前面パネル駆動部１３０に与えた指示を記憶しておき、記憶しておいた指示に基づき判定してもよい。
【００８７】
すなわち、前面パネル１１０を開位置の状態でＡＣＣ電源１２１をオフにした場合は、既にＣＤのイジェクトを行ってもよい開位置のため、開位置への移動を行なわず、ＣＤのイジェクトを行う。
【００８８】
なお、この場合、ハードキー１１４を長押しすることにより、前面パネル１１０を閉位置に移動させることが好ましい。或いは、ハードキー１１４を長押しすることによりＣＤのイジェクトを行い、短押しすることにより前面パネル１１０を閉位置に移動させてもよい。
【００８９】
また、この他にも、ＡＣＣ電源１２１がオフのときにハードキー１１４が操作されると、操作部動作検出手段１０３はユーザがハードキー１１４を操作したことを検出し、検出結果をメインマイコン１０１に出力する。
【００９０】
次に、メインマイコン１０１は、前面パネル１１０の位置を検出し、前面パネル１１０の位置が閉位置であれば、前面パネル駆動部１３０に指示を与え、前面パネル１１０を図１（ｂ）に示すような開位置に移動させる。
【００９１】
そして、この状態（開位置）で、再度、ハードキー１１４が操作され、ＣＤドライブ１０４にＣＤが収容されている場合には、メインマイコン１０１はＣＤドライブ１０４に指示を行い、ＣＤのイジェクトを行い、処理を終了する。
【００９２】
このような他の実施形態においても、電源をオン（ＡＣＣ電源をオン）にすることなくＣＤドライブ１０４からＣＤを排出させることが可能である。
【符号の説明】
【００９３】
１０    車載用カーナビゲーション装置
１００    ナビゲーション装置本体
１０１    メインマイコン
１０２    ＡＣＣ電源検出手段
１０３    操作部動作検出手段
１０４    ＣＤドライブ
１０５    サブマイコン
１０６    表示制御部
１１０    前面パネル
１１１    ディスプレイ
１１２    タッチパネル
１１３    ソフトキー
１１４    ハードキー
１２０    電源部
１２１    ＡＣＣ電源
１２２    バッテリ電源
１３０    前面パネル駆動部
【図１】
2012074112.tif 000003
【図２】
2012074112.tif 000004
【図３】
2012074112.tif 000005
【図４】
2012074112.tif 000006
【図５】
2012074112.tif 000007
【図６】
2012074112.tif 000008